(57)【要約】【課題】  紙詰まりが発生した場合、搬送路上の用紙が別の退避場所に勝手に移動されて、そこに収容されたままになるため、ユーザがその退避場所にある重要な文書を取り忘れてしまい、その文書が第三者の目に触れるというおそれがある。【解決手段】  印刷処理中に紙詰まりの有無を判定すると印刷処理を中断し、紙詰まりした用紙を退避場所に退避させる。そして、その退避場所に用紙があるか否かを検出し、その退避場所に用紙があると検出されると、その退避場所から用紙を取り除くようにユーザに通知する。【選択図】  図６
2014108584.tif 000002
【特許請求の範囲】
【請求項１】
印刷処理中に紙詰まりの有無を判定する判定手段と、
前記判定手段により紙詰まりがあると判定されると印刷処理を中断し、紙詰まりした用紙を退避場所に退避させる退避手段と、
前記退避場所に用紙があるか否かを検出する検出手段と、
前記検出手段により前記退避場所に用紙があると検出されると、前記退避場所から当該用紙を取り除くようにユーザに通知する通知手段と、
を有することを特徴とする印刷装置。
【請求項２】
前記通知手段による通知の後、前記検出手段が前記退避場所に用紙がないことを検出すると、前記紙詰まりにより中断した印刷処理を継続させるかどうかをユーザに問い合わせる問い合わせ手段を更に有することを特徴とする請求項１に記載の印刷装置。
【請求項３】
前記判定手段は、給紙された用紙の送り方向の長さと搬送速度から計算した所定のタイミングに、用紙が所定の場所に到達していない場合に紙詰まりが発生したと判定することを特徴とする請求項１又は２に記載の印刷装置。
【請求項４】
印刷装置と、当該印刷装置で印刷された用紙を搬送して後続の装置に排紙する排紙アクセサリとを備えた印刷システムであって、
前記排紙アクセサリにおける前記用紙の紙詰まりの有無を判定する判定手段と、
前記判定手段により紙詰まりがあると判定されると前記印刷装置による印刷処理を中断し、前記排紙アクセサリが紙詰まりした用紙を自動的に退避場所に退避させる退避手段を有するかどうかを判断する判断手段と、
前記判断手段が、前記排紙アクセサリが前記退避手段を有すると判断した場合、前記退避場所に用紙があるか否かを検出する検出手段と、
前記検出手段により前記退避場所に用紙があると検出されると、前記退避場所から当該用紙を取り除くようにユーザに通知する通知手段と、
を有することを特徴とする印刷システム。
【請求項５】
前記通知手段による通知の後、前記検出手段が前記退避場所に用紙がないことを検出すると、前記紙詰まりにより中断した印刷処理を継続させるかどうかをユーザに問い合わせる問い合わせ手段を更に有することを特徴とする請求項４に記載の印刷システム。
【請求項６】
前記判定手段は、給紙された用紙の送り方向の長さと搬送速度から計算した所定のタイミングに、用紙が所定の場所に到達していない場合に紙詰まりが発生したと判定することを特徴とする請求項４又は５に記載の印刷システム。
【請求項７】
印刷装置を制御する制御方法であって、
判定手段が、印刷処理中に紙詰まりの有無を判定する判定工程と、
退避手段が、前記判定工程で紙詰まりがあると判定されると印刷処理を中断し、紙詰まりした用紙を退避場所に退避させる退避工程と、
検出手段が、前記退避場所に用紙があるか否かを検出する検出工程と、
通知手段が、前記検出工程で前記退避場所に用紙があると検出されると、前記退避場所から当該用紙を取り除くようにユーザに通知する通知工程と、
を有することを特徴とする印刷装置の制御方法。
【請求項８】
コンピュータに、請求項７に記載の制御方法を実行させるためのプログラム。
【発明の詳細な説明】
【技術分野】
【０００１】
本発明は、印刷システム、印刷装置及びその制御方法とプログラムに関するものである。
【背景技術】
【０００２】
近年のデジタル複写機は、単にコピーを行うデジタル複写機と異なり、ネットワークで接続されたコンピュータから送信されたＰＤＬ言語（ページ記述言語）を解釈して画像データを生成し、その画像データに従って印刷を行う機能を持っている。このようなデジタル複写機では、大容量の用紙を給紙するための給紙アクセサリと、印刷物の仕分け、シフト、ステイプル、パンチ穴あけ等の機能を持つ排紙アクセサリとを接続してＰＯＤの印刷システムを構成するものがある。この構成では給紙された用紙が搬送される距離が長くなるため、一枚ずつ、給紙、印刷、排出、給紙、印刷、排出を行っていると単位時間当たりの印刷枚数が少なくなる。従って、単位時間当たりの印刷枚数を多くするために、複数枚の用紙を連続して給紙して、印刷と排紙を行うようにしている。
【０００３】
通常のデジタル複写機では紙詰まりが発生した場合、操作部に紙詰まりの箇所を表示してユーザにより手動で、その紙詰まりの原因となった用紙を取り除くように誘導している。しかし前述のように給紙アクセサリや排紙アクセサリを接続した複写機では、給紙された用紙が搬送される距離が長く、複数枚の用紙を連続して給紙して印刷と排紙を行っている。このため、紙詰まりが発生すると複数の箇所で搬送路上の紙詰まりを取り除かなくてはならなくなる。これはユーザに、距離の離れた複数個所の紙詰まりを処理させるという負荷を負わせることになる。
【０００４】
このような紙詰まりが発生したときのユーザの負荷を軽減するために、特許文献１では、紙詰まりが発生すると、紙詰まりが発生した箇所以外の搬送路上の用紙を別の退避場所に退避させることにより、ユーザによる紙詰まりの処理を軽減させている。
【先行技術文献】
【特許文献】
【０００５】
【特許文献１】特開２００９−２２０９６６号公報
【発明の概要】
【発明が解決しようとする課題】
【０００６】
しかしながら上述の技術では、重要な内容の文書を印刷している時に紙詰まりが発生した場合、搬送路上の用紙が別の退避場所に勝手に移動されて、そこに収容されたままになる。このため、ユーザがその退避場所にある重要な文書を取り忘れてしまい、その文書が第三者の目に触れることになるというおそれがある。
【０００７】
本発明の目的は、上記従来技術の問題点を解決することにある。
【０００８】
本発明の目的は、紙詰まりが発生した場合に退避場所に用紙を退避することによりユーザによる紙詰まり処理を軽減できるだけでなく、ユーザに退避場所に用紙があることを明示してから印刷の継続を指示させる技術を提供することにある。
【課題を解決するための手段】
【０００９】
上記目的を達成するために本発明の一態様に係る印刷装置は以下のような構成を備える。即ち、
印刷処理中に紙詰まりの有無を判定する判定手段と、
前記判定手段により紙詰まりがあると判定されると印刷処理を中断し、紙詰まりした用紙を退避場所に退避させる退避手段と、
前記退避場所に用紙があるか否かを検出する検出手段と、
前記検出手段により前記退避場所に用紙があると検出されると、前記退避場所から当該用紙を取り除くようにユーザに通知する通知手段と、を有することを特徴とする。
【発明の効果】
【００１０】
本発明によれば、紙詰まりが発生した場合に退避場所に用紙を退避することによりユーザによる紙詰まり処理を軽減できるだけでなく、ユーザに退避場所に用紙があることを明示してから印刷の継続を指示させることができることができるようになる。これにより、例えば、機密性の高い文書を印刷しているときの紙詰まり発生時に、ユーザの負荷を軽減させながら、その退避されている文書が第三者の目に触れるのを防止できる。
【図面の簡単な説明】
【００１１】
【図１】本実施形態に係る印刷システムの構成を示す図。
【図２】本実施形態に係るスキャナ及びプリンタの断面図。
【図３】実施形態に係るスタッカの断面図。
【図４】本実施形態に係るプリンタの制御部の構成を示すブロック図。
【図５】実施形態に係る操作部の上面図。
【図６】実施形態に係るプリンタによる制御処理を説明するフローチャート。
【図７】実施形態に係る紙詰まり箇所を操作部に表示した画面例を示す図。
【図８】実施形態において、退避場所にある用紙を取り除くように指示する画面例を示す図。
【図９】実施形態におけるコピー処理の待機中の画面例を示す図。
【発明を実施するための形態】
【００１２】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１３】
図１は、本実施形態に係る印刷システムの構成を示す図である。
【００１４】
図１において、スキャナ１０１は、原稿を読み取ることで画像データを生成する。プリンタ１０２は、画像データに基づいて用紙（シート）に印刷を行う。操作部１０３はユーザにより操作され、ユーザによる各種設定値等の入力に使用される。また、この操作部１０３は、タッチパネルである表示パネル５０４（図５）を有し、ユーザへのメッセージや指示等を表示するとともに、その表示パネルを使用したユーザの操作により、各種情報を入力する。給紙アクセサリ１０４は、大容量の用紙をストックしてプリンタ１０２に給紙する。１０７は給紙アクセサリ１０４のエスケープトレイである。
【００１５】
スタッカ１０５は、プリンタ１０２から排出される印刷済みの用紙を蓄積する。またスタッカ１０５は、プリンタ１０２から排出される印刷済みの用紙を後続のフィニッシャ１０６に搬送することもできる。フィニッシャ１０６は、プリンタ１０２から排出された印刷済みの用紙に対してステイプル、パンチ穴あけ、ソートを行う。１０８は、スタッカ１０５のエスケープトレイである。また１０９，１１０は、フィニッシャ１０６の排紙トレイである。
【００１６】
図２は、本実施形態に係るスキャナ１０１及びプリンタ１０２の断面図である。
【００１７】
コンタクトガラス２０２上に置かれた原稿は、ランプ２０３により露光され、光学ユニット２０４の図面の左右方向への移動により原稿全体が走査される。この時の原稿からの反射光は、ミラー２０５，２０６，２０７及びレンズ２０８によってＣＣＤラインイメージセンサ（以下ＣＣＤという）２０９へ導かれる。これにより原稿はＣＣＤ２０９によって読み取られ、ＣＣＤ２０９から原稿の画像に対応する画像データが出力される。
【００１８】
プリンタ４１４へ転送された画像データは、レーザユニット２２０で画像データからレーザ光へ変換され、レーザーユニット２２０から発信されるレーザ光により感光体ドラム２１１上で画像として結像され静電潜像を形成する。この静電潜像は、現像ユニット２１２から供給されるトナーにより可視画像となり、この可視画像は給紙カセット２１３，２１４から給紙される用紙に、転写ユニット２１５により転写される。こうして画像が転写された用紙は定着器２１６に搬送されて画像が定着された後、搬送ローラ２１８の回転によりスタッカ１０５に搬送される。また用紙の両面に印刷を行う場合は、画像が転写された用紙はフラップ２１９により両面印刷用の搬送路に送られ、搬送ローラ２１７の回転によりその用紙の裏面に画像を転写するために再度転写位置に送られる。
【００１９】
図３は、実施形態に係るスタッカ１０５の断面図である。
【００２０】
プリンタ１０２の搬送ローラ２１８により、印刷済みの用紙が搬送されることが通知されると、搬送ローラ群３０１，３０２，３０３，３０８，３０９，３１０，３１２及び搬送フラッパ３１３を駆動して用紙を搬送する。このとき搬送されてきた用紙をスタック部３１５へスタックするか、スタッカ１０５に接続されているフィニッシャ１０６は搬送するかは、搬送フラッパ３１３により切替えられる。ここでスタック部３１５へ用紙をスタックする場合は、搬送フラッパ３１３を制御して用紙反転部３１４を介してスタック部３１５に用紙を搬送する。一方、フィニッシャ１０６へ搬送する場合には搬送フラッパ３１３を制御し、搬送ローラ３１７，３２１，３２２，３２３によりフィニッシャ１０６へ用紙を搬送する。このスタッカ１０５は、エスケープトレイ１０８と、エスケープトレイ１０８上の用紙の有無を検出するセンサ３１９を有している。また、用紙を退避する退避部３１１と、退避部３１１に用紙が有るか否かを検知するセンサ３０７を有する。退避部３１１は、スタッカ１０５の内部に有り、装置の外側のカバーに覆われて見えづらくなっている。ＣＰＵ４０１は、センサ３１９や、センサ３０７からの情報を受け取ることができる。
【００２１】
図４は、本実施形態に係るプリンタ１０２の制御部の構成を示すブロック図である。
【００２２】
ＣＰＵ４０１はＲＯＭ４０２に格納されている制御プログラム、或いはＲＯＭ４０２のブートプログラムによってＨＤＤ（ハードディスクドライブ）４２０からＤＲＡＭ４０４にロードされた制御プログラムに従って、この印刷システムを制御している。
【００２３】
スキャナ１０１において、ＣＣＤセンサ２０９から出力される原稿の画像データは、画像処理部４０９でＲＧＢ信号に変換され、スキャナＩ／Ｆ４０８、バスコントローラ４０７を介してＤＲＡＭ４０４に格納される。この画像データは更に、Ｉ／Ｏ制御部４１５を介してＨＤＤ４２０に保存される。原稿検知センサ４１１は、スキャナ１０１において、読み取り対象の原稿がセットされたかどうかを検出している。
【００２４】
ＨＤＤ４２０に保存された画像データを印刷する場合、ＣＰＵ４０１は、ＨＤＤ４２０に保存された画像データをＤＲＡＭ４０４に一時保存した後、グラフィックプロセッサ４０３によりＲＧＢ→ＣＭＹＫ変換などの色空間変換処理等を実行する。そして、その変換された画像データをプリンタエンジン４０６に出力して印刷する。このプリンタエンジン４０６は、図２を参照して説明した構成を備えている。
【００２５】
スタッカ１０５の制御は、ＣＰＵ４０１から搬送のための情報を受け取るＣＰＵ４３１により行われる。ＣＰＵ４３１は、ＣＰＵ４０１から印刷済みの用紙が搬送されることを通知されると、搬送ローラ群３０１〜３０３，３０８〜３１０，３１２を回転駆動して用紙を搬送する。このとき搬送されてきた用紙をスタック部３１５へスタックするか、スタッカ１０５に接続されているフィニッシャ１０６に搬送するかは、ＣＰＵ４０１がシリアル通信コントローラ４１６を介してスタッカ１０５のＣＰＵ４３１に指示をすることで制御される。ＣＰＵ４０１の指示によりスタッカ１０５のＣＰＵ４３１が、搬送されてきた用紙をスタック部３１５へスタックする場合には、搬送フラッパ３１３を制御して用紙反転部３１４を介してスタック部３１５に用紙を搬送する。またフィニッシャ１０６へ搬送する場合には、搬送フラッパ３１３を制御して搬送ローラ３１７，３２１〜３２３を介してフィニッシャ１０６へ用紙を搬送する。
【００２６】
尚、印刷された用紙の搬送先は、ＣＰＵ４０１が操作部Ｉ／Ｆ４１８、Ｉ／Ｏ制御部４１５を介して、ユーザが操作部１０３から入力した情報を基に、制御プログラムに従ってＣＰＵ４０１が排紙先を決定する。そして、この決定された排紙先は、Ｉ／Ｏ制御部４１５のシリアル通信コントローラ４１６を介して、スタッカ１０５のＣＰＵ４３１に通知される。
【００２７】
ＣＰＵ４０１からのユーザへの情報の表示、或いはＣＰＵ４０１へのユーザからの指示は操作部１０３を介して行われる。ＣＰＵ４０１はユーザに対して表示したい情報をＩ／Ｏ制御部４１５、表示制御部４１７を介して操作部Ｉ／Ｆ４１８に送信する。こうして送信された情報は表示パネル５０４に表示されてユーザに提示される。またユーザは、操作部１０３のキー群と、感圧または静電式タッチセンサを備える表示パネル５０４により情報を入力し、その入力された情報は操作部Ｉ／Ｆ４１８、Ｉ／Ｏ制御部４１５を介してＣＰＵ４０１に送信される。
【００２８】
またフィニッシャ１０６とプリンタ１０２との通信は、Ｉ／Ｏ制御部４１５のシリアル通信コントローラ４１６を介して、フィニッシャ１０６のＣＰＵ４４１と通信することで行われる。
【００２９】
図５は、実施形態に係る操作部１０３の上面図である。
【００３０】
テンキー５０５は、印刷部数等の設定に使用される。スタートキー５０９はコピーなどの開始を指示するキー、ストップキー５１１は実行中の動作を停止させるためのキーである。表示パネル５０４は、感圧或いは静電式タッチセンサを備え、タッチパネルとして機能している。
【００３１】
図６は、実施形態に係るプリンタ１０２による制御処理を説明するフローチャートである。この処理を実行するプログラムは、ＲＯＭ４０２或いはＨＤＤ４２０に格納されており、ＣＰＵ４０１が、ＲＯＭ４０２、或いはＨＤＤ４２０からＤＲＡＭ４０４に展開されたプログラムを実行することにより、この処理が行われる。尚、ここでは、スキャナ１０１とプリンタ１０２によるコピー処理の場合で説明するが、例えば、外部のＰＣ等から受信した印刷ジョブを実行する場合も、印刷処理は基本的に同様に実行される。
【００３２】
まずＳ６０１で、ＣＰＵ４０１は、ユーザが操作部１０３を使用して行うコピーの各種設定を受け取る。そしてＳ６０２で、ＣＰＵ４０１は、コピーの開始を指示する操作部１０３のスタートキー５０９が押下されたかどうかを判定する。スタートキー５０９が押下されないときはＳ６０１に戻り、ユーザにより入力されるコピーの設定等を受け取る。Ｓ６０１では、ユーザは印刷する用紙をプリンタ１０２の給紙カセット２１３，２１４、給紙アクセサリ１０４のいずれから給紙するか、何部コピーを行うか、印刷済の用紙をスタッカ１０５に排紙するか、フィニッシャ１０６に排紙するか等を入力する。こうして入力された情報は、ＣＰＵ４０１の制御の下に、操作部Ｉ／Ｆ４１８、Ｉ／Ｏ制御部４１５を介してＤＲＡＭ４０４に保存される。
【００３３】
Ｓ６０２で、スタートキー５０９が押下されるとＳ６０３に進み、ＣＰＵ４０１は、Ｓ６０１でＤＲＡＭ４０４に保存された情報に従って、スタッカ１０５のＣＰＵ４３１、フィニッシャ１０６のＣＰＵ４４１に排紙場所などの諸設定を行う。即ち、ＣＰＵ４０１は、Ｉ／Ｏ制御部４１５のシリアル通信コントローラ４１６を介して、スタッカ１０５のＣＰＵ４３１とフィニッシャ１０６のＣＰＵ４４１に、印刷済の用紙の排紙先として指定されているかどうかを通知する。
【００３４】
次にＳ６０４に進み、ＣＰＵ４０１は、スキャナＩ／Ｆ４０８を介してスキャナ１０１に原稿の読み取りを指示する。これによりスキャナ１０１で原稿が読み取られ、その原稿を読み取って得られた画像データをスキャナＩ／Ｆ４０８を介して受け取ってＨＤＤ４２０に格納する。そしてＳ６０５で、ＣＰＵ４０１は、ＨＤＤ４２０に格納した画像データに対してグラフィックプロセッサ４０３による画像処理を施す。そしてＳ６０６に進み、その画像データをプリンタエンジン４０６に出力して印刷を行う。
【００３５】
つぎにＳ６０７に進み、ＣＰＵ４０１はＩ／Ｏ制御部４１５、シリアル通信コントローラ４１６を介して、スタッカ１０５のＣＰＵ４３１、フィニッシャ１０６のＣＰＵ４４１と通信を行い、印刷処理中に用紙の搬送が正常に行われているかどうかを監視する。ここではプリンタ１０２の搬送ローラ２１８、スタッカ１０５の搬送ローラ３０１〜３０３、３０８，３０９，３１７，３２１〜３２３に対して給紙された用紙の送り方向の長さと搬送速度から計算した所定のタイミングで、用紙が到達したかどうかを判定する。こうして所定のタイミングで到達していないと判定した場合は、プリンタ１０２内で、或いはスタッカ１０５内で紙詰まりが発生した判断する。尚、スタッカ１０５内で紙詰まりが発生したときは、ＣＰＵ４３１からシリアル通信コントローラ４１６、Ｉ／Ｏ制御部４１５を介してＣＰＵ４０１に通知される。Ｓ６０８で、紙詰まりが発生していないと判定した場合はＳ６０９に進み、ＣＰＵ４０１は、ユーザが指示した部数の印刷が終了したかを判定し、印刷が終了していなければＳ６０５に戻って前述の処理を実行する。
【００３６】
Ｓ６０８で、ＣＰＵ４０１が紙詰まりが発生していることを検知した場合はＳ６１１に進む。Ｓ６１１でＣＰＵ４０１は、スタッカ１０５のＣＰＵ４３１、フィニッシャ１０６のＣＰＵ４４１からシリアル通信コントローラ４１６経由で通知される紙詰まり箇所の情報から紙詰まりが自動的に解除されたかどうかを判定する。これはプリンタ１０２に接続される給紙アクセサリ１０４、スタッカ１０５、フィニッシャ１０６が、紙詰まりを検知すると自動的に紙詰まりの用紙を所定の場所へ排出する機能を持つ場合、ユーザが紙詰まりを処理しなくても自動的に再開できるためである。ここで紙詰まりの用紙を排出する退避場所は各ユニット毎にあり、給紙アクセサリ１０４であればエスケープトレイ１０７、スタッカ１０５であればエスケープトレイ１０８、フィニッシャであればトレイ１０９、トレイ１１０である。
【００３７】
そしてＳ６１２に進み、ＣＰＵ４０１は、Ｓ６０８で発生した紙詰まりが自動的に解除されているかどうかを判定する。ここで自動的に解除されていないと判定した場合はＳ６１３に進む。Ｓ６１３でＣＰＵ４０１は、スタッカ１０５のＣＰＵ４３１、フィニッシャ１０６のＣＰＵ４４１からシリアル通信コントローラ４１６経由で通知される紙詰まり箇所の情報を受け取り、操作部Ｉ／Ｆ４１８に送信して操作部１０３の表示パネル５０４に表示する。
【００３８】
図７は、実施形態に係る紙詰まり箇所を操作部１０３に表示した画面例を示す図である。
【００３９】
図７の例では、フィニッシャ１０６で紙詰まりが発生していることが分かる。そして、その対処法として、「フィニッシャの上カバーを開けて紙づまりを取り除いてください」というメッセージを表示している。
【００４０】
こうしてＳ６１３で、ＣＰＵ４０１は、ユーザに対して詰まっている紙を取り除くように表示する。そしてＳ６１４で、ＣＰＵ４０１は、フィニッシャ１０６のＣＰＵ４４１とシリアル通信コントローラ４１６経由で通信を行い、紙詰まり箇所の情報を一定周期で取得する。これによりＣＰＵ４０１は、ユーザにより、その紙詰まりが解除されたかどうかを判定できる。こうしてＳ６１５で、ＣＰＵ４０１は、フィニッシャ１０６のＣＰＵ４４１からシリアル通信コントローラ４１６経由で通知されてくる紙詰まり情報に基づいて、紙詰まりがなくなったことを検知するとＳ６１６に進む。
【００４１】
Ｓ６１６では、ＣＰＵ４０１は、接続されているスタッカ１０５とフィニッシャ１０６がエスケープトレイ等の退避場所を備えた、紙詰まりの自動解除が可能な排紙アクセサリかどうかを判定する。ここでＣＰＵ４０１は、シリアル通信コントローラ４１６を介してスタッカ１０５のＣＰＵ４３１、フィニッシャ１０６のＣＰＵ４４１に、紙詰まりの自動解除が可能かどうかを問い合わせる。紙詰まりの自動解除が可能な排紙アクセサリであればＳ６１７に進み、スタッカ１０５のＣＰＵ４３１とフィニッシャ１０６のＣＰＵ４４１から、エスケープトレイ等の退避場所に紙詰まりの用紙があるかどうかの情報を取得する。本実施形態では、スタッカ１０５は、退避場所としてエスケープトレイ１０８と、センサ３０７の上の退避場所（前述の退避部３１１に相当）を有している。そしてセンサ３０７とセンサ３１９により、スタッカ１０５のＣＰＵ４３１は、紙詰まり時に詰まった紙が自動的にエスケープトレイ１０８又は、センサ３０７の上の退避場所に退避されて収容されているかどうかを判定できる。
【００４２】
そしてＳ６１８で、スタッカ１０５のＣＰＵ４３１が、退避場所に用紙が退避されて収容されていると判定すると、ＣＰＵ４３１はシリアル通信コントローラ４１６を介してＣＰＵ４０１に通知する。こうして退避場所に用紙があると判定したＣＰＵ４０１は、Ｓ６１９で、ＣＰＵ４３１からの情報に基づいて退避場所の用紙の情報を操作部Ｉ／Ｆ４１８を介して操作部１０３の表示パネル５０９に表示する。そしてユーザに対して、その用紙を取り除くように指示してＳ６１８に進む。
【００４３】
図８は、実施形態において、退避場所にある用紙を取り除くように指示する画面例を示す図である。
【００４４】
ここではスタッカ１０５の退避場所に、紙詰まりが発生した用紙が退避されて収容されていることが分かる。そこで「退避場所にある用紙を取り除いてください」というメッセージを表示して、ユーザに、退避場所にある、紙詰まりが発生した用紙を取り除くように指示している。
【００４５】
ここでＣＰＵ４０１は、紙詰まりが発生したときと同様に、スタッカ１０５のＣＰＵ４３１、フィニッシャ１０６のＣＰＵ４４１と通信を行い、退避場所であるエスケープトレイ或いは他の退避場所にある用紙の情報を一定周期で取得する。これにより、退避場所の用紙の有無を監視する。
【００４６】
こうしてＳ６１８で、ＣＰＵ４０１が、退避場所の用紙が無くなった（ユーザにより用紙が取り除かれた）と判定するとＳ６２０に進む。Ｓ６２０で、ＣＰＵ４０１は、操作部Ｉ／Ｆ４１８を介して、ユーザに印刷を継続するか否かを選択させる画面を操作部１０３に表示させる。
【００４７】
図９は、実施形態におけるコピー処理の待機中の画面例を示す図である。
【００４８】
図９では、紙詰まりの発生によりコピーが中断されており、プリント待機中を示すダイアログ９０１が表示されている。そしてこのダイアログ９０１に、コピーを再開するかどうかをユーザに問い合わせるボタンが表示されている。ここで「再開ボタン」９０２が押下されると、コピー処理が再開される。
【００４９】
Ｓ６２０で、再開指示がなされるとＳ６２１からＳ６０５に進み、ＣＰＵ４０１はＤＲＡＭ４０４上の画像データをグラフィックプロセッサ４０３で画像処理し、その処理済の画像データをプリンタエンジン４０６に出力して印刷を再開する。一方、図９で「中止ボタン」９０３が押下されると、そのまま処理を終了する。
【００５０】
以上のように制御することで、紙詰まりが発生した場合に退避場所に用紙を退避することによりユーザによる紙詰まり処理を軽減できるだけでなく、ユーザに退避場所に用紙があることを明示してから印刷の継続を指示させることができるようになる。特に、退避場所が、装置の内部にあり、ユーザから見えづらい場合であっても、ユーザは、退避場所にシートがあることを容易に知ることができる。これにより、例えば、機密性の高い文書を印刷しているときの紙詰まり発生時に、ユーザの負荷を軽減させながら、その退避されている文書が第三者の目に触れるのを防止できる。
【００５１】
尚、上記実施形態では、プリンタと給紙ユニット、スタッカがそれぞれ別体のシステムを例に説明したが、本発明はこれに限定されるものでなく、プリンタと給紙ユニット、スタッカが一体に形成されたプリンタ装置にも適用できる。その場合は、プリンタ装置のＣＰＵが、紙詰まりの有無や、紙詰まりにより用紙を退避させた退避場所に用紙があるかないか等の判定を行うことになる。
【００５２】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2014108584.tif 000003
【図２】
2014108584.tif 000004
【図４】
2014108584.tif 000005
【図５】
2014108584.tif 000006
【図６】
2014108584.tif 000007
【図３】
2014108584.tif 000008
【図７】
2014108584.tif 000009
【図８】
2014108584.tif 000010
【図９】
2014108584.tif 000011